(57)【要約】【課題】  複数の移動電話端末の内線番号についての転送設定を効率良く行えるようにする。【解決手段】  本発明の内線番号の交換機２０は、移動端末の内線番号を移動端末の識別番号に紐付けて管理する管理手段２１、転送設定したＭＡＣアドレスを記憶する記憶手段２２、管理対象の識別番号を有する移動端末から、ＭＡＣアドレスおよびＩＰアドレスを含む転送設定依頼を受信した場合、記憶手段２２に記憶されているＭＡＣアドレスと転送設定依頼に含まれているＭＡＣアドレスとの比較結果に基づいて、移動端末の内線番号と転送設定依頼に含まれているＭＡＣアドレスおよびＩＰアドレスとを紐付ける転送設定を行う転送設定手段２３を備える。【選択図】      図１
2015106866.tif 000002
【特許請求の範囲】
【請求項１】
移動端末の内線番号を前記移動端末の識別番号に紐付けて管理する管理手段と、
転送設定したＭＡＣアドレスを記憶する記憶手段と、
管理対象の識別番号を有する移動端末から、ＭＡＣアドレスおよびＩＰアドレスを含む転送設定依頼を受信した場合、前記記憶手段に記憶されているＭＡＣアドレスと前記転送設定依頼に含まれているＭＡＣアドレスとの比較結果に基づいて、前記移動端末の内線番号と前記転送設定依頼に含まれているＭＡＣアドレスおよびＩＰアドレスとを紐付ける転送設定を行う転送設定手段と、
を備える交換機。
【請求項２】
前記転送設定手段は、
前記記憶されているＭＡＣアドレスと前記転送設定依頼に含まれているＭＡＣアドレスとが一致した場合、前記記憶手段に記憶されているＭＡＣアドレスの転送設定に前記第２の移動端末から受信した転送設定依頼に含まれているＩＰアドレスを追加紐付けし、
前記記憶されているＭＡＣアドレスと前記転送設定依頼に含まれているＭＡＣアドレスとが一致しない場合、前記転送設定依頼に含まれているＭＡＣアドレスに前記内線番号および前記転送設定依頼に含まれているＩＰアドレスを紐付けることによって新たな転送設定を行う、
請求項１記載の交換機。
【請求項３】
前記管理手段は、内線番号の管理対象の移動端末へ定期的に返信要求を送信し、該返信要求についての受信確認を取得できない場合、該移動端末の管理番号を転送設定候補として保持し、
前記転送設定手段は、転送設定依頼を受信した移動端末の管理番号が転送設定候補として保持されている管理番号と一致した場合、前記転送設定を行う、
請求項１または２記載の交換機。返信要求に対する受信確認
【請求項４】
管理対象の識別番号を有する移動端末から電話帳要求を受け付けた場合、テンポラリ電話帳を生成して前記移動端末へ返信すると共に生成したテンポラリ電話帳の生成番号と前記移動端末の識別番号とを紐付けして前記記憶手段に記憶するテンポラリ電話帳管理手段をさらに備え、
前記テンポラリ電話帳管理手段は、前記転送設定手段が前記転送設定を行った場合、転送設定した移動端末の識別番号に紐付けられているテンポラリ電話帳の生成番号を前記記憶手段から抽出し、転送設定に用いられたＭＡＣアドレスと抽出した生成番号とを紐付けする、
請求項３記載の交換機。
【請求項５】
前記テンポラリ電話帳には有効期限が設定され、前記テンポラリ電話帳は有効期限が満了した時に前記移動端末から自動的に削除される、請求項４記載の交換機。
【請求項６】
テンポラリ電話帳を削除するＭＡＣアドレスの指定を受け付ける受付手段をさらに備え、
前記テンポラリ電話帳管理手段は、前記指定されたＭＡＣアドレスに対応付けられている識別番号を有する移動端末にテンポラリ電話帳を削除するための削除通知を送信する、
請求項４または５記載の交換機。
【請求項７】
移動端末の第１の領域内における内線番号を前記移動端末の識別番号に紐付けて管理する請求項１乃至６のいずれか１項記載の交換機と、
移動端末が第２の領域に入った時、該移動端末に第２の領域内におけるＩＰアドレスを付与する中継装置と、
第１の領域内において使用される内線番号を有し、第２の領域内におけるＩＰアドレスが前記中継装置から付与された場合、該中継装置のＭＡＣアドレスおよび付与されたＩＰアドレスを含む転送設定依頼を生成し、生成した転送設定依頼を前記中継装置を介して前記交換機へ送信する移動端末と、
を備える内線番号の転送設定システム。
【請求項８】
移動端末の内線番号を前記移動端末の識別番号に紐付けて管理する管理手段および転送設定したＭＡＣアドレスを記憶する記憶手段を有する交換機を用いた内線番号の転送設定方法であって、
管理対象の識別番号を有する移動端末から、ＭＡＣアドレスおよびＩＰアドレスを含む転送設定依頼を受信した場合、前記記憶手段に記憶されているＭＡＣアドレスと前記転送設定依頼に含まれているＭＡＣアドレスとの比較結果に基づいて、前記内線番号と前記転送設定依頼に含まれているＭＡＣアドレスおよびＩＰアドレスとを紐付ける、内線番号の転送設定方法。
【請求項９】
前記記憶されているＭＡＣアドレスと前記転送設定依頼に含まれているＭＡＣアドレスとが一致した場合、前記記憶手段に記憶されているＭＡＣアドレスの転送設定に前記第２の移動端末から受信した転送設定依頼に含まれているＩＰアドレスを追加紐付けし、
前記記憶されているＭＡＣアドレスと前記転送設定依頼に含まれているＭＡＣアドレスとが一致しない場合、前記転送設定依頼に含まれているＭＡＣアドレスに前記内線番号および前記転送設定依頼に含まれているＩＰアドレスを紐付けることによって新たな転送設定を行う、
請求項８記載の内線番号の転送設定方法。
【発明の詳細な説明】
【技術分野】
【０００１】
本発明は、移動電話端末の内線番号を管理する交換機、交換機が管理している内線番号の転送設定システムおよび転送設定方法に関する。
【背景技術】
【０００２】
移動電話端末が交換機施設網外に移動した場合に、移動電話端末の内線番号への着信を移動先の移動電話端末に自動的に転送する技術が、例えば、特許文献１−５に開示されている。
【先行技術文献】
【特許文献】
【０００３】
【特許文献１】特開２００７−１９７０５１号公報
【特許文献２】特開２０００−３５０２５１号公報
【特許文献３】特開２０００−３０７７３３号公報
【特許文献４】特開平７−３０７９７９号公報
【特許文献５】特開平６−１２５５８１号公報
【発明の概要】
【発明が解決しようとする課題】
【０００４】
しかし、特許文献１−５の技術はいずれも、移動電話端末ごとに内線番号を転送設定する。この場合、複数の移動電話端末が同一の網に移動している場合でも移動電話端末ごとの転送設定が必要であり、重複した情報が保持されて管理情報が不要に大きくなる。
【０００５】
本発明は上記の課題に鑑みてなされたものであり、複数の移動電話端末の内線番号についての転送設定を効率良く行うことができる交換機、転送設定システムおよび転送設定方法を提供することを目的とする。
【課題を解決するための手段】
【０００６】
上記目的を達成するために本発明に係る交換機は、移動端末の内線番号を前記移動端末の識別番号に紐付けて管理する管理手段と、転送設定したＭＡＣアドレスを記憶する記憶手段と、管理対象の識別番号を有する移動端末から、ＭＡＣアドレスおよびＩＰアドレスを含む転送設定依頼を受信した場合、前記記憶手段に記憶されているＭＡＣアドレスと前記転送設定依頼に含まれているＭＡＣアドレスとの比較結果に基づいて、前記移動端末の内線番号と前記転送設定依頼に含まれているＭＡＣアドレスおよびＩＰアドレスとを紐付ける転送設定を行う転送設定手段と、を備える。
【０００７】
上記目的を達成するために本発明に係る内線番号の転送設定システムは、移動端末の第１の領域内における内線番号を移動端末の識別番号に紐付けて管理する上記の交換機、移動端末が第２の領域に入った時、該移動端末に第２の領域内におけるＩＰアドレスを付与する中継装置と、第１の領域内において使用される内線番号を有し、第２の領域内におけるＩＰアドレスが中継装置から付与された場合、該中継装置のＭＡＣアドレスおよび付与されたＩＰアドレスを含む転送設定依頼を生成し、生成した転送設定依頼を中継装置を介して交換機へ送信する移動端末と、を備える。
【０００８】
上記目的を達成するために本発明に係る内線番号の転送設定方法は、移動端末の内線番号を移動端末の識別番号に紐付けて管理する管理手段および転送設定したＭＡＣアドレスを記憶する記憶手段を有する交換機を用いた内線番号の転送設定方法であって、管理対象の識別番号を有する移動端末から、ＭＡＣアドレスおよびＩＰアドレスを含む転送設定依頼を受信した場合、記憶手段に記憶されているＭＡＣアドレスと転送設定依頼に含まれているＭＡＣアドレスとの比較結果に基づいて、内線番号と転送設定依頼に含まれているＭＡＣアドレスおよびＩＰアドレスとを紐付ける。
【発明の効果】
【０００９】
上述した本発明の態様によれば、複数の移動電話端末の内線番号についての転送設定を効率良く行うことができる。
【図面の簡単な説明】
【００１０】
【図１】第１の実施形態に係る（ａ）内線番号の転送設定システム１０のシステム構成図、（ｂ）交換機２０のブロック構成図である。
【図２】第２の実施形態に係る通信ネットワークシステム１００のシステム構成図である。
【図３】第２の実施形態に係る交換機２１０が移動電話端末を管理している時の動作手順である。
【図４】第２の実施形態に係る交換機２１０が移動電話端末Ｋ１へテンポラリ電話帳を送信する時の動作手順である。
【図５】第２の実施形態に係る交換機２１０が移動電話端末Ｋ１の転送設定を行う時の動作手順である。
【図６】第２の実施形態に係る交換機２１０が移動電話端末Ｋ２の転送設定を行う時の動作手順である。
【発明を実施するための形態】
【００１１】
（第１の実施形態）
第１の実施形態に係る転送設定システムについて説明する。本実施形態に係る転送設定システムのシステム構成図を図１（ａ）に、交換機のブロック構成図を図１（ｂ）に示す。
【００１２】
図１（ａ）において、転送設定システム１０は、交換機２０、中継装置３０および移動端末４０を含む。
【００１３】
交換機２０は、第１の領域内で使用される複数の端末装置の内線番号を、該複数の端末装置の識別番号にそれぞれ紐付けて管理している。交換機２０は、管理している内線番号に着信があった場合、着信を受けた内線番号に対応する識別番号を有する端末装置に回線を接続する。図１（ｂ）に示すように、本実施形態に係る交換機２０は、管理手段２１、記憶手段２２および転送設定手段２３を備える。
【００１４】
管理手段２１は、第１の領域内で使用される複数の端末装置の内線番号を、該複数の端末装置の識別番号にそれぞれ紐付けて管理する。本実施形態に係る管理手段２１はさらに、内線番号の管理対象の移動端末４０へ定期的に返信要求を送信する。管理手段２１は、返信要求に対する受信確認を受信できない移動端末４０がある場合、この移動端末４０の識別番号および内線番号を、転送対象候補として保持する。そして、転送対象候補の移動端末４０から転送設定依頼を受信した場合、転送設定依頼に基づいて内線番号の転送設定を行う。
【００１５】
記憶手段２２には、管理対象の端末装置の第１の領域内における内線番号が、識別番号に紐付けられて記憶されている。記憶手段２２にはさらに、複数の転送設定情報が記憶されている。転送設定情報にはそれぞれ、移動端末４０の識別番号、内線番号、移動先での接続先のＭＡＣアドレスおよび移動先で付与されたＩＰアドレス等が含まれている。
【００１６】
転送設定手段２３は、内線番号の管理対象の移動端末４０から転送設定依頼を受信した場合、記憶手段２１に記憶されているＭＡＣアドレスと受信した転送設定依頼に含まれているＭＡＣアドレスとを比較し、比較結果に基づいて、転送設定依頼を送信してきた移動端末４０の内線番号の転送設定を行う。
【００１７】
例えば、転送設定手段２３は、転送設定依頼に含まれているＭＡＣアドレスが記憶手段２１に記憶されているＭＡＣアドレスと一致した場合、転送設定として、一致したＭＡＣアドレスの転送設定に、転送設定依頼の送信元の移動端末４０の識別番号、内線番号および転送設定依頼に含まれているＩＰアドレスを追加する。一方、転送設定依頼に含まれているＭＡＣアドレスが記憶手段２１に記憶されているＭＡＣアドレスと一致しない場合、転送設定依頼の送信元の移動端末４０の識別番号および内線番号に、転送設定依頼に含まれているＭＡＣアドレスおよびＩＰアドレスを紐付けすることによって、新たな転送設定を構築する。
【００１８】
なお、本実施形態に係る転送設定手段２３は、受信した転送設定依頼に含まれている識別番号と記憶手段２２に記憶されている識別番号とを比較し、両者が一致した場合にのみ、上述の転送設定を行う。
【００１９】
中継装置３０は、第２の領域内に配置され、移動端末４０が第２の領域に入って来た時、移動端末４０へ第２の領域において通信を行うために必要な通信情報を付与する。中継装置３０は通信情報として、例えば、中継装置３０のＭＡＣアドレスおよび移動端末４０の第２の領域内におけるＩＰアドレスを付与する。
【００２０】
移動端末４０は、第１の領域内で使用する内線番号および自端末の識別番号を保持している。移動端末４０は、第１の領域内において、管理手段２１から返信要求を受信した場合、管理手段２１へ受信確認を返信する。移動端末４０はさらに、第２の領域内に移動することによって中継装置３０と自動的に接続される。
【００２１】
そして、移動端末４０は、中継装置３０から通信情報（中継装置３０のＭＡＣアドレスおよび移動端末４０の第２の領域内におけるＩＰアドレス）が付与された場合、付与された通信情報に基づいて転送設定依頼を生成し、生成した転送設定依頼を、中継装置３０を介して交換機２０へ送信する。本実施形態に係る移動端末４０は、転送設定依頼に、自端末の識別番号、中継装置３０から通信情報として付与されたＭＡＣアドレスおよびＩＰアドレスを挿入し、中継装置３０を介して交換機２０へ送信する。
【００２２】
上記のように構成された転送設定システム１０は、次のように動作する。すなわち、管理手段２１は、返信要求を送信した後、返信要求に対する受信確認を受信できない場合、受信確認が受信できない移動端末４０の識別番号および内線番号を転送対象候補として保持する。
【００２３】
一方、移動端末４０は、第１の領域を出て第２の領域内に移動することにより、中継装置３０から通信情報（中継装置３０のＭＡＣアドレスおよび移動端末４０の第２の領域内におけるＩＰアドレス）が付与される。移動端末４０は、中継装置３０から通信情報が付与された場合、自端末の識別番号、中継装置３０のＭＡＣアドレスおよび中継装置３０から付与されたＩＰアドレスを挿入することによって転送設定依頼を生成し、生成した転送設定依頼を、中継装置３０を介して交換機２０へ送信する。
【００２４】
交換機２０は、中継装置３０を介して転送設定依頼を受信した場合、転送設定依頼に含まれている識別番号を保持している転送対象候補と比較することによって認証し、移動端末４０が認証できた場合は移動端末４０の識別番号に紐付けられている内線番号を抽出し、抽出した内線番号についての転送設定を行う。ここで、交換機２０において受信確認が受信できない移動端末４０の識別番号および内線番号を転送対象候補として予め保持しておくことにより、交換機２０は転送設定が必要な内線番号を速やかに、且つ、信頼性高く特定することができる。
【００２５】
交換機２０は、内線番号の転送を行う場合、先ず、転送設定依頼に含まれているＭＡＣアドレスが既に記憶手段２１に記憶されているか否か確認する。そして、すでに記憶手段２１に記憶されている場合、記憶されているＭＡＣアドレスの転送設定に、転送設定依頼の送信元の移動端末４０の識別番号、内線番号および転送設定依頼に含まれているＩＰアドレスを追加する。これにより、第２の領域において同一の中継装置３０に接続されている複数の移動端末４０間で、内線設定が共有される。すなわち、第１の移動端末と第２の移動端末とが内線設定を共有している場合、第１の領域において第１の移動端末の内線番号に受けた着信に対して、第２の領域において第２の移動端末で応答することができる。
【００２６】
一方、転送設定依頼に含まれているＭＡＣアドレスが記憶手段２１に記憶されていない場合、転送設定依頼の送信元の移動端末４０の識別番号、内線番号に、転送設定依頼に含まれている中継装置３０のＭＡＣアドレスおよび移動端末４０の第２の領域内におけるＩＰアドレスを紐付けすることによって、新たな転送設定を構築する。
【００２７】
ここで、移動端末４０が第２の領域からさらに第３の領域に移動した場合でも、本実施形態に係る交換機２０は同様に動作する。すなわち、移動端末４０から識別番号、第３の領域に位置する中継装置のＭＡＣアドレスおよび第３の領域において使用されるＩＰアドレスを含む転送設定依頼を受信することにより、交換機２０は、転送設定依頼に含まれている識別番号、ＭＡＣアドレスおよびＩＰアドレスを用いて、内線番号の転送設定を再設定する。さらに、交換機２０は、第２の領域に位置していた時の転送設定から、再設定した移動端末４０の識別番号、内線番号およびＩＰアドレスを削除する。
【００２８】
以上のように、本実施形態に係る転送設定システム１０は、第２の領域内に移動した時に移動端末４０が自動的に転送設定依頼を生成して交換機２０へ送信し、交換機２０は受信した転送設定依頼に含まれているＭＡＣアドレスおよびＩＰアドレスを用いて、移動端末４０の内線番号の転送設定を自動的に行う。従って、第２の領域内に移動する前に移動端末４０のユーザが内線番号についての転送設定を行わなくても、第１の領域内において受けた移動端末４０の内線番号への着信を第２の領域内において受けることができる。
【００２９】
さらに、交換機２０は、転送設定依頼に含まれているＭＡＣアドレスと記憶手段２１に記憶されているＭＡＣアドレスとを比較し、両者が一致した場合、既存の転送設定に新たに受信した転送設定依頼に含まれているＩＰアドレスを追加設定する。この場合、交換機２０において転送に関する情報を必要最小限抑制することが出来、さらに、転送設定を効率よく行うことができる。
【００３０】
また、複数の移動端末４０の転送設定をＭＡＣアドレスをキーにして一元管理することにより、例えば、第１の領域内において第１の移動端末の内線番号に受けた着信を、第２の領域内において第２の移動端末に回線接続したり、第１の領域内において第２の移動端末の内線番号に受けた着信を、第２の領域内において第１の移動端末に回線接続したりすることができる。
【００３１】
（第２の実施形態）
第２の実施形態について説明する。本実施形態に係る通信ネットワークシステムのシステム構成図を図２に示す。図２において、通信ネットワークシステム１００は、交換機施設網２００、外出先施設網３００および通信網４００を含む。
【００３２】
交換機施設網２００内において、交換機２１０、無線ＬＡＮアクセスポイント２２０、ＤＨＣＰサーバ（Dynamic Host Configuration Protocol server）２３０および固定電話端末２４０が互いに接続されている。また、移動電話端末Ｋ１、Ｋ２、Ｋ３が交換機施設網２００内において交換機２１０によって管理されている。
【００３３】
交換機２１０は、管理対象の移動電話端末および固定電話端末の内線番号、交換機施設網２００内に配置されている全ての無線ＬＡＮアクセスポイントのＭＡＣアドレス、移動電話端末から受信した移動完了通知から取得したＭＡＣアドレス等を保持している。以下、交換機施設網２００内に配置されている機器のＭＡＣアドレスを内部ＭＡＣアドレス、移動完了通知から取得したＭＡＣアドレスを外部ＭＡＣアドレスと記載する。交換機２１０は、保持している内線番号に対して着信を受けた時、着信を受けた内線番号に対応する端末を抽出し、抽出した端末に回線を接続する。
【００３４】
本実施形態に係る交換機２１０はさらに、管理対象の移動電話端末に、一定期間ごとにそれぞれ異なる交換機ＩＤを送信し、移動電話端末から保存完了通知を受信した場合、送信した最新の交換機ＩＤを自機内に保存する。そして、移動電話端末から保存完了通知を受信できない場合、その移動電話端末が交換機施設網２００から移動したと判断する。また、本実施形態に係る交換機２１０は、管理対象の移動電話端末から移動完了通知を受信した場合、移動完了通知に基づいて管理対象の移動電話端末の内線番号の転送設定を行う。なお、交換機２１０の機能および動作手順については後述する。
【００３５】
無線ＬＡＮアクセスポイント２２０は、管理領域内に位置している移動電話端末と無線通信を行う。移動電話端末は、無線ＬＡＮアクセスポイント２２０を介して他の通信機器と通信を行う。
【００３６】
ＤＨＣＰサーバ２３０は、無線ＬＡＮアクセスポイント２２０にアクセスして来た移動電話端末に通信に必要な通信情報を付与する。なお、ＤＨＣＰサーバ２３０が、管理対象の移動電話端末から移動完了通知を受信した場合に管理対象の移動電話端末の内線番号の転送設定を行うように設計することもできる。
【００３７】
固定電話端末２４０は、交換機２１０を介して、交換機施設網２００、外出先施設網３００や通信網４００に接続されている各種端末と通信する。
【００３８】
移動電話端末Ｋ１、Ｋ２、Ｋ３は、交換機施設網２００内に位置している時、ＤＨＣＰサーバ２３０から付与された通信情報に基づいて、無線ＬＡＮアクセスポイント２２０および交換機２１０を介して、各種通信機器と通信を行う。また、本実施形態に係る移動電話端末Ｋ１、Ｋ２、Ｋ３は、交換機２１０から交換機ＩＤを受信した場合、受信した交換機ＩＤを最新の交換機ＩＤとして保持し、交換機２１０へ保存完了通知を送信する。本実施形態に係る移動電話端末Ｋ１、Ｋ２、Ｋ３はさらに、交換機施設網２００とは別の網に移動した時、移動先の無線ＬＡＮアクセスポイント３２０のＭＡＣアドレスおよび新たに付与されたＩＰアドレス等を挿入することによって移動完了通知を生成し、生成した移動完了通知を交換機２１０へ送信する。
【００３９】
外出先施設網３００内において、無線ＬＡＮアクセスポイント３２０、ＤＨＣＰサーバ３３０および図２に図示されない固定電話端末等が互いに接続されている。ここで、外出先施設網３００内に、交換機施設網２００と同様に交換機２１０を配置することもできる。
【００４０】
無線ＬＡＮアクセスポイント３２０は、管理領域内に位置している移動電話端末と無線通信を行う。
【００４１】
ＤＨＣＰサーバ３３０は、管理領域内に位置している移動電話端末と無線通信を行う。ＤＨＣＰサーバ３３０はさらに、無線ＬＡＮアクセスポイント３２０にアクセスして来た移動電話端末に通信に必要な通信情報を付与する。本実施形態においてＤＨＣＰサーバ３３０は通信情報として、ＤＨＣＰサーバ３３０のＭＡＣアドレスおよび移動電話端末の外出先施設網３００内におけるＩＰアドレスを付与する。なお、ＤＨＣＰサーバ３３０において、外出先施設網３００で管理されている移動電話端末の内線番号の転送設定を行うようにすることもできる。
【００４２】
次に、交換機２１０の機能および動作手順について詳細に説明する。交換機２１０が移動電話端末Ｋ１、Ｋ２、Ｋ３を管理している時の動作手順を図３に示す。
【００４３】
図３において、交換機２１０は、移動電話端末Ｋ１、Ｋ２、Ｋ３へ交換機ＩＤ０１、ＩＤ０２、ＩＤ０３を送信してから一定期間が経過した後、移動電話端末Ｋ１、Ｋ２、Ｋ３へ別の交換機ＩＤ１１、ＩＤ１２、ＩＤ１３を送信する（Ｓ１０１）。
【００４４】
移動電話端末Ｋ１、Ｋ２、Ｋ３は、交換機２１０から交換機ＩＤ１１、１２、１３を受信した場合、受信した交換機ＩＤ１１、１２、１３を自機内に保存し（Ｓ１０２）、交換機ＩＤの保存が完了したことを示す保存完了通知を交換機２１０へ送信する（Ｓ１０３）。
【００４５】
交換機２１０は、移動電話端末Ｋ１、Ｋ２、Ｋ３から保存完了通知を受信した場合、保持している交換機ＩＤ、すなわち、前回送信した交換機ＩＤ０１、０２、０３を、新たに送信した交換機ＩＤ１１、１２、１３に更新する（Ｓ１０４）。
【００４６】
以下、Ｓ１０１〜Ｓ１０４を繰り返す。すなわち、交換機２１０は一定期間経過後に、例えば、移動電話端末Ｋ１、Ｋ２、Ｋ３へ交換機ＩＤ２１、２２、２３を送信する。移動電話端末Ｋ１、Ｋ２、Ｋ３は、新たに取得した交換機ＩＤ２１、２２、２３を自端末内に保存して保存完了通知を交換機２１０へ送信する。交換機２１０は、移動電話端末Ｋ１、Ｋ２、Ｋ３から保存完了通知を受信することにより、自機に保持する交換機ＩＤを交換機ＩＤ２１、２２、２３へ更新する。
【００４７】
次に、移動電話端末Ｋ１が交換機施設網２００から外出先施設網３００に移動する場合の動作手順について説明する。先ず、移動電話端末Ｋ１のユーザが交換機施設網２００内において使用していた電話帳を外出先でも使用したい場合、ユーザは、移動電話端末Ｋ１を用いて電話帳と同様の情報を有するテンポラリ電話帳を取得する。移動電話端末Ｋ１を用いてテンポラリ電話帳を取得する時の動作手順を図４に、交換機２１０が移動電話端末Ｋ１の転送設定を行う時の動作手順を図５に示す。
【００４８】
本実施形態において、移動電話端末Ｋ１のユーザは、交換機施設網２００から移動する場合、テンポラリ電話帳を取得するための入力を移動電話端末Ｋ１へ行う。図４において、移動電話端末Ｋ１は、ユーザからテンポラリ電話帳を取得するための入力を受け付けた場合（Ｓ２０１）、保持している交換機ＩＤ２１を挿入したテンポラリ電話帳要求を生成して交換機２１０へ送信する（Ｓ２０２）。
【００４９】
交換機２１０は、テンポラリ電話帳要求を受信した場合（Ｓ２０３）、挿入されている交換機ＩＤ２１を認証し、交換機ＩＤ２１の認証が成功した場合（Ｓ２０４のＹＥＳ）、所定の電話帳データを用いてテンポラリ電話帳を生成し、移動電話端末Ｋ１へ送信する（Ｓ２０５）。交換機２１０は、送信したテンポラリ電話帳の生成番号を移動電話端末Ｋ１の交換機ＩＤ２１と紐付けて保持する（Ｓ２０６）。ここで、本実施形態に係る交換機２１０は、有効期限が設定されたテンポラリ電話帳を生成する。
【００５０】
移動電話端末Ｋ１は、交換機２１０からテンポラリ電話帳を受信した場合（Ｓ２０７）、自機内の電話帳に受信したテンポラリ電話帳を追加登録する（Ｓ２０８）。移動電話端末Ｋ１の電話帳に追加登録されたテンポラリ電話帳には、有効期限が設定されていることから、有効期限満了後にテンポラリ電話帳は自動的に移動電話端末Ｋ１内の電話帳から消去される。
【００５１】
そして、移動電話端末Ｋ１のユーザは、移動電話端末Ｋ１にテンポラリ電話帳が追加登録された後、交換機施設網２００から外出先施設網３００に移動する。
【００５２】
図５において、交換機２１０は一定期間経過後に、例えば、移動電話端末Ｋ１、Ｋ２、Ｋ３へ交換機ＩＤ３１、３２、３３を送信する。しかし、移動電話端末Ｋ１が交換機施設網２００から移動したことから、交換機２１０は交換機ＩＤ３１に関する保存完了通知を受信することができない。交換機２１０は、交換機ＩＤ３１を送信した後に一定期間が経過しても移動電話端末Ｋ１から保存完了通知を受信できない場合（Ｓ３０１）、移動電話端末Ｋ１に通知できた最終の交換機ＩＤ２１と移動電話端末Ｋ１の内線番号とを紐付して保持する（Ｓ３０２）。
【００５３】
一方、移動電話端末Ｋ１は、外出先施設網３００内へ移動することにより、無線ＬＡＮアクセスポイント３２０と接続される（Ｓ３０３）。移動電話端末Ｋ１は、無線ＬＡＮアクセスポイント３２０を介してＤＨＣＰサーバ３３０からＩＰアドレス等の通信に必要な情報を取得した時、保持している交換機ＩＤ２１、接続している無線ＬＡＮアクセスポイント３２０のＭＡＣアドレス、および、ＤＨＣＰサーバ３３０から取得したＩＰアドレスを挿入した移動完了通知を生成する。そして、移動電話端末Ｋ１は、生成した移動完了通知を通信網４００経由で交換機２１０へ送信する（Ｓ３０４）。なお、移動電話端末Ｋ１が無線ＬＡＮアクセスポイント３２０を介してＤＨＣＰサーバ３３０からＩＰアドレスを取得する方法、交換機２１０の情報を取得する方法、および、無線ＬＡＮアクセスポイント３２０のＭＡＣアドレスを取得する方法は、当業者にとってよく知られているため詳細な説明は省略する。
【００５４】
交換機２１０は移動完了通知を受信した場合（Ｓ３０５）、受信した移動完了通知に含まれている交換機ＩＤ２１を自機内に保持している交換機ＩＤと照合する。交換機２１０は、受信した交換機ＩＤ２１が自機内に保持している交換機ＩＤと一致しない場合は受信した移動完了通知を破棄する。一方、受信した交換機ＩＤ２１が保持している交換機ＩＤと一致した場合（Ｓ３０６のＹＥＳ）、交換機２１０はさらに、移動完了通知に含まれている無線ＬＡＮアクセスポイント３２０のＭＡＣアドレスが保持しているＭＡＣアドレスと一致するか確認する。
【００５５】
移動完了通知に含まれているＭＡＣアドレスが保持している内部ＭＡＣアドレス（交換機施設網２００内に配置されている機器のＭＡＣアドレス）と一致した場合（Ｓ３０７のＹＥＳ）、交換機２１０は移動電話端末Ｋ１が交換機施設網２００内に位置していると判断し、新たな交換機ＩＤ３１を再度、移動電話端末Ｋ１へ通知する（Ｓ３０８）。
【００５６】
一方、移動完了通知に含まれているＭＡＣアドレスが保持している外部ＭＡＣアドレス（移動完了通知から取得したＭＡＣアドレス）と一致した場合（Ｓ３０９のＹＥＳ）、交換機２１０は移動電話端末Ｋ１が他の管理対象の移動電話端末と同じ網に移動したと判断する（Ｓ３１０）。なお、この場合の動作については後述する。
【００５７】
さらに、移動完了通知に含まれているＭＡＣアドレスが保持している内部ＭＡＣアドレスおよび外部ＭＡＣアドレスのいずれにも一致しない場合（Ｓ３０９のＮＯ）、交換機２１０は、移動電話端末Ｋ１が交換機施設網２００から新たな網へ移動したと判断し、移動完了通知に含まれているＭＡＣアドレスを外部ＭＡＣアドレスとして新たに登録すると共に、交換機ＩＤ２１に紐つけられて保持されている内線番号の転送先として、新たに登録した外部ＭＡＣアドレスおよび移動完了通知に含まれていたＩＰアドレスを設定する（Ｓ３１１）。
【００５８】
交換機２１０はさらに、移動電話端末Ｋ１の交換機ＩＤ２１にテンポラリ電話帳の生成番号が紐付けられているか否か確認し、紐付けられている場合、新たに登録した外部ＭＡＣアドレスをテンポラリ電話帳の生成番号に追加紐付けする（Ｓ３１２）。
【００５９】
以上のように、移動電話端末Ｋ１は、移動先の外出先施設網３００において無線ＬＡＮアクセスポイント３２０に接続してＤＨＣＰサーバ３３０から通信に必要な情報を取得した時、自動的に移動完了通知を交換機２１０へ送信する。そして、交換機２１０は受信した移動完了通知に基づいて移動電話端末Ｋ１の内線番号についての転送設定を自動的に行うことができる。従って、ユーザが転送に関する設定を行わなくても、交換機施設網２００における移動電話端末Ｋ１の内線番号への着信を、外出先施設網３００内において移動電話端末Ｋ１によって受けることができる。
【００６０】
次に、移動電話端末Ｋ２が交換機施設網２００から移動電話端末Ｋ１の移動先である外出先施設網３００に移動した場合の動作手順を、図６を用いて説明する。図５で説明した手順と同様に、移動電話端末Ｋ２が交換機施設網２００から外出先施設網３００に移動した場合、交換機２１０は、移動電話端末Ｋ２から新たに送信した交換機ＩＤ４２についての保存完了通知を受信できないことから、交換機ＩＤ３２と移動電話端末Ｋ２の内線番号とを紐付して保持する。一方、移動電話端末Ｋ２は、外出先施設網３００内において無線ＬＡＮアクセスポイント３２０に接続した場合、交換機ＩＤ３２、ＭＡＣアドレスおよびＩＰアドレス等を挿入した移動完了通知を交換機２１０へ送信する。
【００６１】
交換機２１０は、移動完了通知を受信した場合（Ｓ４０１）、受信した移動完了通知に含まれている交換機ＩＤ３２を認証し（Ｓ４０２）、さらに、移動完了通知に含まれている無線ＬＡＮアクセスポイント３２０のＭＡＣアドレスが保持しているＭＡＣアドレスと一致するか確認する。
【００６２】
そして、移動完了通知に含まれているＭＡＣアドレスが、移動電話端末Ｋ１の交換機ＩＤと紐付けられている外部ＭＡＣアドレスと一致した場合、交換機２１０は、移動電話端末Ｋ２が移動電話端末Ｋ１と同一の外出先施設網３００に移動したと判断し（Ｓ４０３）、移動電話端末Ｋ１の内線番号に関する転送設定に、移動電話端末Ｋ２の内線番号およびＩＰアドレスを追加設定する（Ｓ４０４）。これにより、交換機施設網２００における移動電話端末Ｋ１の内線番号への着信を、移動電話端末Ｋ２によって代理応答できるようになる。
【００６３】
この場合、交換機２１０はさらに、追加設定した外部ＭＡＣアドレスにテンポラリ電話帳が紐付けられているか否か確認する。そして、テンポラリ電話帳が紐付けられている場合、交換機２１０は、移動電話端末Ｋ２が同一網内に移動したことを知らせるための同一網共有通知を移動電話端末Ｋ１へ送信する（Ｓ４０５）。ここで、同一網共有通知には、移動電話端末Ｋ２の外出先施設網３００内でのＩＰアドレスが含まれている。
【００６４】
移動電話端末Ｋ１は、交換機２１０から同一網共有通知を受信した場合（Ｓ４０６）、該通知内に含まれている移動電話端末Ｋ２のＩＰアドレスを用いて、移動電話端末Ｋ２へテンポラリ電話帳を共有するか否か問合せる（Ｓ４０７）。そして、移動電話端末Ｋ２からテンポラリ電話帳を共有する旨の回答を受信した場合、移動電話端末Ｋ１は保持しているテンポラリ電話帳を移動電話端末Ｋ２へ送信し（Ｓ４０８）、さらに、テンポラリ電話帳を移動電話端末Ｋ２と共有した旨を示すテンポラリ電話帳共有通知を交換機２１０へ送信する（Ｓ４０９）。
【００６５】
交換機２１０は、移動電話端末Ｋ１からテンポラリ電話帳共有通知を受信した場合（Ｓ４１０）、テンポラリ電話帳の生成番号に移動電話端末Ｋ２の交換機ＩＤ３２を追加で紐付けする（Ｓ４１１）。
【００６６】
以上のように、交換機２１０は、移動完了通知に挿入されている交換機ＩＤおよびＭＡＣアドレスを確認することにより、移動電話端末Ｋ２が他の移動電話端末Ｋ１と同一の外出先施設網３００にいることを認識することができる。この場合、すでに保持している移動電話端末Ｋ１の転送設定に後から移動してきた移動電話端末Ｋ２の交換機ＩＤ３２を追加設定することにより、交換機施設網２００における移動電話端末Ｋ１の内線番号への着信を移動電話端末Ｋ２が代理応答できるようになる。さらに、交換機２１０が移動電話端末Ｋ１へ同一網共有通知を送信することにより、移動電話端末Ｋ１、Ｋ２は同一のテンポラリ電話帳を容易に共有できるようになる。
【００６７】
なお、移動電話端末Ｋ３が交換機施設網２００から外出先施設網３００に移動した場合も同様に機能する。すなわち、交換機２１０が交換機ＩＤ５３を移動電話端末Ｋ３へ送信した時に交換機ＩＤ５３に関する保存完了通知を受信することができない場合、交換機２１０は移動電話端末Ｋ３に通知できた最終の交換機ＩＤ４３と移動電話端末Ｋ３の内線番号とを紐付して保持する。
【００６８】
そして、交換機２１０は移動電話端末Ｋ３から移動完了通知を受信することによって移動電話端末Ｋ３が移動電話端末Ｋ１と同一の外出先施設網３００内に存在していると判断した場合、移動電話端末Ｋ１の内線番号に関する転送設定に移動電話端末Ｋ３の内線番号およびＩＰアドレスを追加設定すると共に移動電話端末Ｋ１へ同一網共有通知を送信する。同一網共有通知を受信した移動電話端末Ｋ１は、移動電話端末Ｋ３へ有効期限が設定されたテンポラリ電話帳を送信することができる。
【００６９】
以上のように構成された通信ネットワークシステム１００においては、移動電話端末は、移動先の外出先施設網内においてＤＨＣＰサーバからＩＰアドレス等の通信に必要な情報を取得した時、自動的に移動完了通知を交換機施設網の交換機２１０へ送信する。そして、交換機２１０は、受信した移動完了通知に基づいて交換機施設網における内線番号について転送設定を行う。従って、ユーザは、交換機施設網から移動する時に転送に関する設定を行わなくても、交換機施設網における内線番号への着信を外出先施設網において受信することができる。
【００７０】
また、移動完了通知に含まれているＭＡＣアドレスと保持している外部ＭＡＣアドレスとを比較することにより、交換機２１０は、同一網内への移動を把握して移動した複数の移動電話端末の内線の転送設定を一元管理することができる。これにより、同一網内に移動した複数の移動電話端末が互いに代理受信を行えるようになる。
【００７１】
さらに、同一網内に移動した複数の移動電話端末において同一のテンポラリ電話帳を共用する場合、テンポラリ電話帳の管理が容易になると共に有効期限が満了したテンポラリ電話帳を確実に削除することができる。なお、テンポラリ電話帳の有効期限は同一網内に位置する複数の移動電話端末で同一である必要はなく、例えば、移動電話端末ごとに異なる有効期限を設定することもできる。
【００７２】
ここで、有効期限満了時にテンポラリ電話帳が自動的に削除されるのに加えて、管理者が強制的にテンポラリ電話帳を削除することもできる。管理者が強制的に外出先施設網３００内において共用しているテンポラリ電話帳を削除する場合、例えば、管理者は交換機施設網２００に接続されている固定電話端末２４０を用いて、テンポラリ電話帳の削除指示および削除対象の外部ＭＡＣアドレスを指定する。
【００７３】
交換機２１０は、テンポラリ電話帳の削除指示が入力された場合、指定された外部ＭＡＣアドレスに紐づけられて転送設定されている移動電話端末Ｋ１、Ｋ２、Ｋ３を抽出する。交換機２１０は、抽出した移動電話端末Ｋ１、Ｋ２、Ｋ３へテンポラリ電話帳の削除指示を送信する。移動電話端末Ｋ１、Ｋ２、Ｋ３は、交換機２１０から電話帳削除指示を受信することにより、内部の電話帳に保持しているテンポラリ電話帳を削除する。
【００７４】
この場合、管理者は所望のタイミングで外出先施設網３００内に位置している全ての移動電話端末からテンポラリ電話帳を削除することができる。従って、トラブル発生時等にも速やかにテンポラリ電話帳を削除することができ、電話帳の情報が流出することを抑制することができる。なお、同一網内に位置する全ての移動電話端末からテンポラリ電話帳を削除するのではなく、指定した移動電話端末からのみテンポラリ電話帳を削除することもできる。
【００７５】
本願発明は上記実施形態に限定されるものではなく、この発明の要旨を逸脱しない範囲の設計の変更等があってもこの発明に含まれる。
【符号の説明】
【００７６】
１０    転送設定システム
２０    交換機
２１    管理手段
２２    記憶手段
２３    転送設定手段
３０    中継装置
４０    移動端末
１００    通信ネットワークシステム
２００    交換機施設網
２１０    交換機
２２０    無線ＬＡＮアクセスポイント
２３０    ＤＨＣＰサーバ
２４０    固定電話端末
３００    外出先施設網
３２０    無線ＬＡＮアクセスポイント
３３０    ＤＨＣＰサーバ
４００    通信網
【図１】
2015106866.tif 000003
【図２】
2015106866.tif 000004
【図３】
2015106866.tif 000005
【図４】
2015106866.tif 000006
【図５】
2015106866.tif 000007
【図６】
2015106866.tif 000008